(57)【要約】【課題】  画像形成装置等の情報処理装置に関して、当該情報処理装置にスプールされているジョブの中から当該情報処理装置に実行させるジョブを選択することができるような新規な情報処理装置を提案すること。【解決手段】  当該情報処理装置にスプールされているジョブの中から当該情報処理装置に実行させるジョブを選択するためのジョブ選択画面を提供するジョブ選択画面提供手段と、前記ジョブ選択画面で選択されたジョブを当該情報処理装置に実行させるために必要な認証情報を入力するための認証画面を提供する認証画面提供手段とを備え、前記ジョブ選択画面で選択されたあるユーザのジョブを当該情報処理装置に実行させるためには、前記認証画面でそのユーザの認証情報を入力することが必要とされていることを特徴とする情報処理装置。【選択図】  図７
2005346458.tif 000002
【特許請求の範囲】
【請求項１】
当該情報処理装置にスプールされているジョブの中から当該情報処理装置に実行させるジョブを選択するためのジョブ選択画面を提供するジョブ選択画面提供手段と、
前記ジョブ選択画面で選択されたジョブを当該情報処理装置に実行させるために必要な認証情報を入力するための認証画面を提供する認証画面提供手段とを備え、
前記ジョブ選択画面で選択されたあるユーザのジョブを当該情報処理装置に実行させるためには、前記認証画面でそのユーザの認証情報を入力することが必要とされていることを特徴とする情報処理装置。
【請求項２】
前記認証画面では、あるユーザの認証情報を入力する操作を、そのユーザの認証情報が記録された記録媒体を当該情報処理装置にセットする操作をもってすることが可能であることを特徴とする請求項１に記載の情報処理装置。
【請求項３】
当該情報処理装置にスプールされているジョブの中から当該情報処理装置に実行させるジョブを選択するためのジョブ選択画面を提供するジョブ選択画面提供手段を備え、
前記ジョブ選択画面であるユーザの認証情報が入力されると、当該情報処理装置に実行させるジョブとして、当該情報処理装置にスプールされているジョブの中からそのユーザのジョブが選択されることを特徴とする情報処理装置。
【請求項４】
前記ジョブ選択画面では、あるユーザの認証情報を入力する操作を、そのユーザの認証情報が記録された記録媒体を当該情報処理装置にセットする操作をもってすることが可能であることを特徴とする請求項３に記載の情報処理装置。
【請求項５】
当該情報処理装置にスプールされているジョブの中から当該情報処理装置に実行させるジョブを選択するためのジョブ選択画面を提供するジョブ選択画面提供手段を備え、
前記ジョブ選択画面である複数のユーザの認証情報が入力されると、当該情報処理装置に実行させるジョブとして、当該情報処理装置にスプールされているジョブの中からその複数のユーザのジョブが選択されることを特徴とする情報処理装置。
【請求項６】
前記ジョブ選択画面では、ある複数のユーザの認証情報を入力する操作を、その複数のユーザの認証情報が各ユーザの認証情報につき各記録媒体に記録された複数の記録媒体を当該情報処理装置にセットする操作をもってすることが可能であることを特徴とする請求項５に記載の情報処理装置。
【請求項７】
前記ジョブ選択画面には、当該情報処理装置にスプールされているジョブの一覧が表示されることを特徴とする請求項１乃至６のいずれか１項に記載の情報処理装置。
【請求項８】
前記ジョブ選択画面には、当該情報処理装置にスプールされているジョブの中から当該情報処理装置に実行させるジョブとして当該ジョブ選択画面で選択されたジョブの一覧が表示されることを特徴とする請求項３乃至６のいずれか１項に記載の情報処理装置。
【請求項９】
当該情報処理装置は、画像形成装置であることを特徴とする請求項１乃至８のいずれか１項に記載の情報処理装置。
【請求項１０】
前記ジョブは、当該情報処理装置のクライアント端末からのジョブであることを特徴とする請求項１乃至９のいずれか１項に記載の情報処理装置。
【請求項１１】
前記ジョブは、当該情報処理装置のクライアント端末からのプリントジョブであることを特徴とする請求項９に記載の情報処理装置。
【請求項１２】
情報処理装置により実行される情報処理方法であって、
当該情報処理装置にスプールされているジョブの中から当該情報処理装置に実行させるジョブを選択するためのジョブ選択画面を提供するジョブ選択画面提供段階と、
前記ジョブ選択画面で選択されたジョブを当該情報処理装置に実行させるために必要な認証情報を入力するための認証画面を提供する認証画面提供段階とを備え、
前記ジョブ選択画面で選択されたあるユーザのジョブを当該情報処理装置に実行させるためには、前記認証画面でそのユーザの認証情報を入力することが必要とされていることを特徴とする情報処理方法。
【請求項１３】
前記認証画面では、あるユーザの認証情報を入力する操作を、そのユーザの認証情報が記録された記録媒体を当該情報処理装置にセットする操作をもってすることが可能であることを特徴とする請求項１２に記載の情報処理方法。
【請求項１４】
情報処理装置により実行される情報処理方法であって、
当該情報処理装置にスプールされているジョブの中から当該情報処理装置に実行させるジョブを選択するためのジョブ選択画面を提供するジョブ選択画面提供段階を備え、
前記ジョブ選択画面であるユーザの認証情報が入力されると、当該情報処理装置に実行させるジョブとして、当該情報処理装置にスプールされているジョブの中からそのユーザのジョブが選択されることを特徴とする情報処理方法。
【請求項１５】
前記ジョブ選択画面では、あるユーザの認証情報を入力する操作を、そのユーザの認証情報が記録された記録媒体を当該情報処理装置にセットする操作をもってすることが可能であることを特徴とする請求項１４に記載の情報処理方法。
【請求項１６】
情報処理装置により実行される情報処理方法であって、
当該情報処理装置にスプールされているジョブの中から当該情報処理装置に実行させるジョブを選択するためのジョブ選択画面を提供するジョブ選択画面提供段階を備え、
前記ジョブ選択画面である複数のユーザの認証情報が入力されると、当該情報処理装置に実行させるジョブとして、当該情報処理装置にスプールされているジョブの中からその複数のユーザのジョブが選択されることを特徴とする情報処理方法。
【請求項１７】
前記ジョブ選択画面では、ある複数のユーザの認証情報を入力する操作を、その複数のユーザの認証情報が各ユーザの認証情報につき各記録媒体に記録された複数の記録媒体を当該情報処理装置にセットする操作をもってすることが可能であることを特徴とする請求項１６に記載の情報処理方法。
【請求項１８】
前記ジョブ選択画面には、当該情報処理装置にスプールされているジョブの一覧が表示されることを特徴とする請求項１２乃至１７のいずれか１項に記載の情報処理方法。
【請求項１９】
前記ジョブ選択画面には、当該情報処理装置にスプールされているジョブの中から当該情報処理装置に実行させるジョブとして当該ジョブ選択画面で選択されたジョブの一覧が表示されることを特徴とする請求項１４乃至１７のいずれか１項に記載の情報処理方法。
【請求項２０】
当該情報処理装置は、画像形成装置であることを特徴とする請求項１２乃至１９のいずれか１項に記載の情報処理方法。
【請求項２１】
前記ジョブは、当該情報処理装置のクライアント端末からのジョブであることを特徴とする請求項１２乃至２０のいずれか１項に記載の情報処理方法。
【請求項２２】
前記ジョブは、当該情報処理装置のクライアント端末からのプリントジョブであることを特徴とする請求項２０に記載の情報処理方法。
【請求項２３】
請求項１２乃至２２のいずれか１項に記載の情報処理方法をコンピュータに実行させる情報処理プログラム。
【請求項２４】
請求項１２乃至２２のいずれか１項に記載の情報処理方法をコンピュータに実行させる情報処理プログラムが記録されたコンピュータ読取可能な記録媒体。
【発明の詳細な説明】
【技術分野】
【０００１】
本発明は、主たる機能として情報処理機能を備える情報機器／従たる機能として情報処理機能を備える電気機器等の情報処理装置、情報処理方法、情報処理プログラム、ＣＤ−ＲＯＭ等の記録媒体に関する。主たる機能として情報処理機能を備える情報機器の具体例としては、パーソナルコンピュータが挙げられる。従たる機能として情報処理機能を備える電気機器の具体例としては、近年、情報処理機能の高度化が目覚しいコピー／プリンタ／スキャナ／ファクシミリ／複合機／融合機等の画像形成装置が挙げられる。
【背景技術】
【０００２】
近年、コピーとプリンタとスキャナとファクシミリとしての機能を備える複合機や融合機が市販されるようになった。複合機や融合機は、撮像部や印刷部や通信部や操作表示部等のハードウェアを備えると共に、コピーとプリンタとスキャナとファクシミリに対応する４種類のソフトウェアを備え、これらのソフトウェアが切り替わることにより、コピーやプリンタやスキャナやファクシミリとして機能する。複合機や融合機は、コピーやプリンタとして機能する場合、画像を印刷用紙等に印刷することになり、コピーやスキャナとして機能する場合、画像を読取原稿等から読み取ることになり、ファクシミリとして機能する場合、画像を電話回線等を介して他の機器と授受することになる。
【特許文献１】特開２００２−８４３８３号公報
【発明の開示】
【発明が解決しようとする課題】
【０００３】
複合機や融合機には通常、プリントジョブのスプール機能が存在する。このような複合機や融合機において、当該機器にスプールされているプリントジョブの中から当該機器に実行させるプリントジョブを選択することができると便利であるが、どのようにしてプリントジョブのセキュリティを確保するか、どのようにして選択操作の操作性を向上させるか、というような点で課題が残るところである。
【０００４】
したがって、本発明は、画像形成装置等の情報処理装置に関して、当該情報処理装置にスプールされているジョブの中から当該情報処理装置に実行させるジョブを選択することができるような新規な情報処理装置を提案することを課題とする。
【課題を解決するための手段】
【０００５】
請求項１記載の発明（情報処理装置）は、当該情報処理装置にスプールされているジョブの中から当該情報処理装置に実行させるジョブを選択するためのジョブ選択画面を提供するジョブ選択画面提供手段と、前記ジョブ選択画面で選択されたジョブを当該情報処理装置に実行させるために必要な認証情報を入力するための認証画面を提供する認証画面提供手段とを備え、前記ジョブ選択画面で選択されたあるユーザのジョブを当該情報処理装置に実行させるためには、前記認証画面でそのユーザの認証情報を入力することが必要とされていることを特徴とする情報処理装置である。
【０００６】
請求項２記載の発明（情報処理装置）は、前記認証画面では、あるユーザの認証情報を入力する操作を、そのユーザの認証情報が記録された記録媒体を当該情報処理装置にセットする操作をもってすることが可能であることを特徴とする請求項１に記載の情報処理装置である。
【０００７】
請求項３記載の発明（情報処理装置）は、当該情報処理装置にスプールされているジョブの中から当該情報処理装置に実行させるジョブを選択するためのジョブ選択画面を提供するジョブ選択画面提供手段を備え、前記ジョブ選択画面であるユーザの認証情報が入力されると、当該情報処理装置に実行させるジョブとして、当該情報処理装置にスプールされているジョブの中からそのユーザのジョブが選択されることを特徴とする情報処理装置である。
【０００８】
請求項４記載の発明（情報処理装置）は、前記ジョブ選択画面では、あるユーザの認証情報を入力する操作を、そのユーザの認証情報が記録された記録媒体を当該情報処理装置にセットする操作をもってすることが可能であることを特徴とする請求項３に記載の情報処理装置である。
【０００９】
請求項５記載の発明（情報処理装置）は、当該情報処理装置にスプールされているジョブの中から当該情報処理装置に実行させるジョブを選択するためのジョブ選択画面を提供するジョブ選択画面提供手段を備え、前記ジョブ選択画面である複数のユーザの認証情報が入力されると、当該情報処理装置に実行させるジョブとして、当該情報処理装置にスプールされているジョブの中からその複数のユーザのジョブが選択されることを特徴とする情報処理装置である。
【００１０】
請求項６記載の発明（情報処理装置）は、前記ジョブ選択画面では、ある複数のユーザの認証情報を入力する操作を、その複数のユーザの認証情報が各ユーザの認証情報につき各記録媒体に記録された複数の記録媒体を当該情報処理装置にセットする操作をもってすることが可能であることを特徴とする請求項５に記載の情報処理装置である。
【００１１】
請求項７記載の発明（情報処理装置）は、前記ジョブ選択画面には、当該情報処理装置にスプールされているジョブの一覧が表示されることを特徴とする請求項１乃至６のいずれか１項に記載の情報処理装置である。
【００１２】
請求項８記載の発明（情報処理装置）は、前記ジョブ選択画面には、当該情報処理装置にスプールされているジョブの中から当該情報処理装置に実行させるジョブとして当該ジョブ選択画面で選択されたジョブの一覧が表示されることを特徴とする請求項３乃至６のいずれか１項に記載の情報処理装置である。
【００１３】
請求項９記載の発明（情報処理装置）は、当該情報処理装置は、画像形成装置であることを特徴とする請求項１乃至８のいずれか１項に記載の情報処理装置である。
【００１４】
請求項１０記載の発明（情報処理装置）は、前記ジョブは、当該情報処理装置のクライアント端末からのジョブであることを特徴とする請求項１乃至９のいずれか１項に記載の情報処理装置である。
【００１５】
請求項１１記載の発明（情報処理装置）は、前記ジョブは、当該情報処理装置のクライアント端末からのプリントジョブであることを特徴とする請求項９に記載の情報処理装置である。
【００１６】
請求項１２記載の発明（情報処理方法）は、情報処理装置により実行される情報処理方法であって、当該情報処理装置にスプールされているジョブの中から当該情報処理装置に実行させるジョブを選択するためのジョブ選択画面を提供するジョブ選択画面提供段階と、前記ジョブ選択画面で選択されたジョブを当該情報処理装置に実行させるために必要な認証情報を入力するための認証画面を提供する認証画面提供段階とを備え、前記ジョブ選択画面で選択されたあるユーザのジョブを当該情報処理装置に実行させるためには、前記認証画面でそのユーザの認証情報を入力することが必要とされていることを特徴とする情報処理方法である。
【００１７】
請求項１３記載の発明（情報処理方法）は、前記認証画面では、あるユーザの認証情報を入力する操作を、そのユーザの認証情報が記録された記録媒体を当該情報処理装置にセットする操作をもってすることが可能であることを特徴とする請求項１２に記載の情報処理方法である。
【００１８】
請求項１４記載の発明（情報処理方法）は、情報処理装置により実行される情報処理方法であって、当該情報処理装置にスプールされているジョブの中から当該情報処理装置に実行させるジョブを選択するためのジョブ選択画面を提供するジョブ選択画面提供段階を備え、前記ジョブ選択画面であるユーザの認証情報が入力されると、当該情報処理装置に実行させるジョブとして、当該情報処理装置にスプールされているジョブの中からそのユーザのジョブが選択されることを特徴とする情報処理方法である。
【００１９】
請求項１５記載の発明（情報処理方法）は、前記ジョブ選択画面では、あるユーザの認証情報を入力する操作を、そのユーザの認証情報が記録された記録媒体を当該情報処理装置にセットする操作をもってすることが可能であることを特徴とする請求項１４に記載の情報処理方法である。
【００２０】
請求項１６記載の発明（情報処理方法）は、情報処理装置により実行される情報処理方法であって、当該情報処理装置にスプールされているジョブの中から当該情報処理装置に実行させるジョブを選択するためのジョブ選択画面を提供するジョブ選択画面提供段階を備え、前記ジョブ選択画面である複数のユーザの認証情報が入力されると、当該情報処理装置に実行させるジョブとして、当該情報処理装置にスプールされているジョブの中からその複数のユーザのジョブが選択されることを特徴とする情報処理方法である。
【００２１】
請求項１７記載の発明（情報処理方法）は、前記ジョブ選択画面では、ある複数のユーザの認証情報を入力する操作を、その複数のユーザの認証情報が各ユーザの認証情報につき各記録媒体に記録された複数の記録媒体を当該情報処理装置にセットする操作をもってすることが可能であることを特徴とする請求項１６に記載の情報処理方法である。
【００２２】
請求項１８記載の発明（情報処理方法）は、前記ジョブ選択画面には、当該情報処理装置にスプールされているジョブの一覧が表示されることを特徴とする請求項１２乃至１７のいずれか１項に記載の情報処理方法である。
【００２３】
請求項１９記載の発明（情報処理方法）は、前記ジョブ選択画面には、当該情報処理装置にスプールされているジョブの中から当該情報処理装置に実行させるジョブとして当該ジョブ選択画面で選択されたジョブの一覧が表示されることを特徴とする請求項１４乃至１７のいずれか１項に記載の情報処理方法である。
【００２４】
請求項２０記載の発明（情報処理方法）は、当該情報処理装置は、画像形成装置であることを特徴とする請求項１２乃至１９のいずれか１項に記載の情報処理方法である。
【００２５】
請求項２１記載の発明（情報処理方法）は、前記ジョブは、当該情報処理装置のクライアント端末からのジョブであることを特徴とする請求項１２乃至２０のいずれか１項に記載の情報処理方法である。
【００２６】
請求項２２記載の発明（情報処理方法）は、前記ジョブは、当該情報処理装置のクライアント端末からのプリントジョブであることを特徴とする請求項２０に記載の情報処理方法である。
【００２７】
請求項２３記載の発明（情報処理プログラム）は、請求項１２乃至２２のいずれか１項に記載の情報処理方法をコンピュータに実行させる情報処理プログラムである。
【００２８】
請求項２４記載の発明（記録媒体）は、請求項１２乃至２２のいずれか１項に記載の情報処理方法をコンピュータに実行させる情報処理プログラムが記録されたコンピュータ読取可能な記録媒体である。
【発明の効果】
【００２９】
このように、本発明は、画像形成装置等の情報処理装置に関して、当該情報処理装置にスプールされているジョブの中から当該情報処理装置に実行させるジョブを選択することができるような新規な情報処理装置を提案するものである。
【発明を実施するための最良の形態】
【００３０】
図１２は、本発明の実施例に該当する情報処理装置１１を表す。図１２の情報処理装置１１は、種々のハードウェア２１と、種々のソフトウェア２２と、起動部２３により構成される。
【００３１】
情報処理装置１１のハードウェア２１としては、ＣＰＵやＲＯＭやＲＡＭやＨＤＤ等により構成される情報処理部、ＭＯＤＥＭやＮＩＣ等により構成される通信部、キーボードやマウスやディスプレイ等により構成される操作表示部が存在する。
【００３２】
情報処理装置１１のソフトウェア２２としては、種々のアプリケーション３１、種々のプラットフォーム３２が存在する。プラットフォーム３２としては、情報処理部に関する制御を行うモジュール、通信部に関する仲介を行うモジュール、操作表示部に関する制御を行うモジュール、ユーザ情報の管理に関する制御を行うモジュール、システムの管理に関する制御を行うモジュールが存在する。これらのプログラムは、ＵＮＩＸ（登録商標）等のＯＳ（オペレーティングシステム）によりプロセス単位で並列的に実行される。
【００３３】
起動部２３は、情報処理装置１１の電源投入時に最初に実行される。これにより、ＵＮＩＸ（登録商標）等のＯＳが起動され、アプリケーション３１やプラットフォーム３２が起動される。これらのプログラムは、ＨＤＤやメモリカードに蓄積されており、ＨＤＤやメモリカードから再生されて、ＲＡＭに起動されることになる。
【００３４】
図１２の情報処理装置１１の例としては、主たる機能として情報処理機能を備える情報機器や、従たる機能として情報処理機能を備える電気機器等が挙げられる。主たる機能として情報処理機能を備える情報機器の具体例としては、パーソナルコンピュータが挙げられる。従たる機能として情報処理機能を備える電気機器の具体例としては、近年、情報処理機能の高度化が目覚しいコピー／プリンタ／スキャナ／ファクシミリ／複合機／融合機等の画像形成装置が挙げられる。以下、情報処理装置１１の具体例である融合機１０１について説明する。
【００３５】
図１は、本発明の実施例に該当する融合機１０１を表す。図１の融合機１０１は、種々のハードウェア１１１と、種々のソフトウェア１１２と、融合機起動部１１３により構成される。図１の融合機１０１は、コピーやプリンタやスキャナやファクシミリとして機能することができる。
【００３６】
融合機１０１のハードウェア１１１としては、撮像部１２１と、印刷部１２２と、その他のハードウェア１２３が存在する。
【００３７】
撮像部１２１は、原稿から画像（画像データ）を読み取るためのハードウェアであり、コピーやスキャナやファクシミリとして機能する際に使用される。撮像部１２１は、白黒画像用の物でもカラー画像用の物でもよい。撮像部１２１は、原稿に関する機構として、原稿セット部等を備える。
【００３８】
印刷部１２２は、画像（画像データ）を印刷用紙等の印刷媒体に印刷するためのハードウェアであり、コピーやプリンタやファクシミリとして機能する際に使用される。印刷部１２２は、白黒画像用の物でもカラー画像用の物でもよい。印刷部１２２は、ここでは電子写真方式を採用しており、感光体、帯電機、露光機、現像機、転写機、定着機等を備える。印刷部１２２は、印刷用紙等に関する機構として、給紙部、排紙部、印刷用紙等搬送機構等を備える。
【００３９】
その他のハードウェア１２３については、図２において説明する。
【００４０】
融合機１０１のソフトウェア１１２としては、種々のアプリケーション１３１と、種々のプラットフォーム１３２が存在する。これらのプログラムは、ＵＮＩＸ（登録商標）等のＯＳ（オペレーティングシステム）によりプロセス単位で並列的に実行される。
【００４１】
アプリケーション１３１は、コピーやプリンタやスキャナやファクシミリ等の機能に固有な情報処理を実行するためのソフトウェアである。アプリケーション１３１としては、コピー用のアプリケーションであるコピーアプリ１４１と、プリンタ用のアプリケーションであるプリンタアプリ１４２と、スキャナ用のアプリケーションであるスキャナアプリ１４３と、ファクシミリ用のアプリケーションであるファクシミリアプリ１４４と、ネットワークファイル用のアプリケーションであるネットワークファイルアプリ１４５が存在する。ネットワークファイルアプリ１４５は、ＨＴＭＬ文書等の閲覧用のＷｅｂブラウザや、ＨＴＭＬ文書等の配信用のＷｅｂサーバソフトにより構成される。
【００４２】
プラットフォーム１３２は、アプリケーション１３１からの処理要求に関する情報処理を実行するためのソフトウェアである。アプリケーション１３１からの処理要求の受信には、予め定義されている関数により処理要求を受信するアプリケーションプログラムインタフェース（ＡＰＩ）１３３を利用して、要求内容の実施には、エンジンインタフェース１３４を利用する。プラットフォーム１３２としては、種々のコントロールサービス１５１と、システムリソースマネージャ１５２と、種々のハンドラ１５３が存在する。
【００４３】
コントロールサービス１５１は、アプリケーション１３１からの処理要求を解釈して、解釈結果に応じてハードウェア１１１の獲得要求を発生させる。コントロールサービス１５１としては、ネットワークコントロールサービス（ＮＣＳ）１６１と、ファクシミリコントロールサービス（ＦＣＳ）１６２と、デリバリコントロールサービス（ＤＣＳ）１６３と、エンジンコントロールサービス（ＥＣＳ）１６４と、メモリコントロールサービス（ＭＣＳ）１６５と、オペレーションパネルコントロールサービス（ＯＣＳ）１６６と、サーティフィケーションコントロールサービス（ＣＣＳ）１６７と、ユーザディレクトリコントロールサービス（ＵＣＳ）１６８と、システムコントロールサービス（ＳＣＳ）１６９が存在する。
【００４４】
ＮＣＳ１６１のプロセスは、ネットワーク等を介してデータ通信を行うための仲介を行う。ＦＣＳ１６２のプロセスは、ファクシミリとして画像データ通信・画像データ読取・画像データ印刷等を行うためのＡＰＩを提供する。ＤＣＳ１６３のプロセスは、融合機１０１に蓄積された文書データの配信に関する制御を行う。ＥＣＳ１６４のプロセスは、撮像部１２１や印刷部１２２等のエンジン部に関する制御を行う。ＭＣＳ１６５のプロセスは、画像データ記憶・画像データ処理等のメモリやハードディスクドライブに関する制御を行う。ＯＣＳ１６６のプロセスは、オペレーションパネルに関する制御を行う。ＣＣＳ１６７のプロセスは、認証処理や課金処理に関する制御を行う。ＵＣＳ１６８のプロセスは、ユーザ情報の管理に関する制御を行う。ＳＣＳ１６９のプロセスは、システムの管理に関する制御を行う。
【００４５】
システムリソースマネージャ（ＳＲＭ）１５２は、ハードウェア１１１の獲得要求を調停して、調停結果に応じて要求内容を実施するための制御を行う。詳細に言うと、ＳＲＭ１５２のプロセスは、獲得要求に係るハードウェア１１１が利用可能か否か（他の獲得要求と競合しないか否か）を判定して、利用可能である場合にはその旨をコントロールサービス１５１の各プロセスに通知する。さらに、獲得要求に係るハードウェア１１１の利用スケジュールを作成して、作成結果に応じて要求内容を実施するための制御を行う。
【００４６】
ハンドラ１５３は、調停結果に応じてハードウェア１１１を管理する。ハンドラ１５３としては、ファクシミリコントロールユニットハンドラ（ＦＣＵＨ）１７１と、イメージメモリハンドラ（ＩＭＨ）１７２が存在する。ＦＣＵＨ１７１は、ファクシミリコントロールユニットを管理する。ＩＭＨ１７２は、各プロセスにメモリを割り振り、各プロセスに割り振ったメモリを管理する。
【００４７】
融合機起動部１１３は、融合機１０１の電源投入時に最初に実行される。これにより、ＵＮＩＸ（登録商標）等のＯＳが起動され、アプリケーション１３１やプラットフォーム１３２が起動される。これらのプログラムは、ハードディスクドライブやメモリカードに蓄積されており、ハードディスクドライブやメモリカードから再生されて、メモリに起動されることになる。
【００４８】
図２は、図１の融合機１０１に係るハードウェア構成図である。融合機１０１のハードウェア１１１としては、コントローラ２０１と、オペレーションパネル２０２と、ファクシミリコントロールユニット（ＦＣＵ）２０３と、撮像部１２１と、印刷部１２２が存在する。撮像部１２１と印刷部１２２を除く各構成要素が、図１の「その他のハードウェア１２３」に該当する。
【００４９】
コントローラ２０１は、ＣＰＵ２１１と、ＡＳＩＣ２１２と、ＮＢ（ノースブリッジ）２２１と、ＳＢ（サウスブリッジ）２２２と、ＭＥＭ−Ｐ（システムメモリ）２３１と、ＭＥＭ−Ｃ（ローカルメモリ）２３２と、ＨＤＤ（ハードディスクドライブ）２３３と、メモリカードスロット２３４と、ＮＩＣ（ネットワークインタフェースコントローラ）２４１と、ＵＳＢデバイス２４２と、ＩＥＥＥ１３９４デバイス２４３と、セントロニクスデバイス２４４と、ＩＣカードリーダ２４５により構成される。
【００５０】
ＣＰＵ２１１は、種々の情報処理を実行するためのＩＣであり、アプリケーション１３１やプラットフォーム１３２をＵＮＩＸ（登録商標）等のＯＳによりプロセス単位で並列的に実行する。ＡＳＩＣ２１２は、画像処理用のＩＣである。ＮＢ２２１は、ＣＰＵ２１１とＡＳＩＣ２１２を接続するためのブリッジである。ＳＢ２２２は、ＮＢ２２１と周辺機器等を接続するためのブリッジである。ＡＳＩＣ２１２とＮＢ２２１は、ＡＧＰ（Ａｃｃｅｌｅｒａｔｅｄ  Ｇｒａｐｈｉｃｓ  Ｐｏｒｔ）を介して接続されている。
【００５１】
ＭＥＭ−Ｐ２３１は、ＮＢ２２１に接続されたメモリである。ＭＥＭ−Ｃ２３２は、ＡＳＩＣ２１２に接続されたメモリである。ＨＤＤ２３３は、ＡＳＩＣ２１２に接続されたストレージであり、画像データ蓄積・文書データ蓄積・プログラム蓄積・フォントデータ蓄積・フォームデータ蓄積等を行うために使用される。メモリカードスロット２３４は、ＳＢ２２２に接続されたスロットであり、メモリカード２３５をセット（挿入）するために使用される。
【００５２】
ＮＩＣ２４１は、ネットワーク等を介してＭＡＣアドレス等を使用したデータ通信を行うためのコントローラである。ＵＳＢデバイス２４２は、ＵＳＢ規格に準拠したシリアルポートを提供するためのデバイスである。ＩＥＥＥ１３９４デバイス２４３は、ＩＥＥＥ１３９４規格に準拠したシリアルポートを提供するためのデバイスである。セントロニクスデバイス２４４は、セントロニクス仕様に準拠したパラレルポートを提供するためのデバイスである。ＩＣカードリーダ２４５は、ＩＣカード２４６のカードリードを行うためのカードリーダである。ＮＩＣ２４１と、ＵＳＢデバイス２４２と、ＩＥＥＥ１３９４デバイス２４３と、セントロニクスデバイス２４４と、ＩＣカードリーダ２４５は、ＰＣＩ（Ｐｅｒｉｐｈｅｒａｌ  Ｃｏｍｐｏｎｅｎｔ  Ｉｎｔｅｒｃｏｎｅｃｔ）バスを介してＮＢ２２１とＳＢ２２２に接続されている。
【００５３】
オペレーションパネル２０２は、オペレータが融合機１０１に入力を行うためのハードウェア（操作部）であると共に、オペレータが融合機１０１から出力を得るためのハードウェア（表示部）である。オペレーションパネル２０２は、ＡＳＩＣ２１２に接続されている。ＦＣＵ２０３と、撮像部１２１と、印刷部１２２は、ＰＣＩ（Ｐｅｒｉｐｈｅｒａｌ  Ｃｏｍｐｏｎｅｎｔ  Ｉｎｔｅｒｃｏｎｅｃｔ）バスを介してＡＳＩＣ２１２に接続されている。
【００５４】
図３は、図１の融合機１０１に係る外観図である。図３には、撮像部１２１の位置と、印刷部１２２の位置と、オペレーションパネル２０２の位置が図示されている。図３にはまた、原稿をセットするための原稿セット部３０１と、印刷用紙等の給紙先となる給紙部３０２と、印刷用紙等の排紙先となる排紙部３０３が図示されている。原稿セット部３０１は、撮像部１２１の構成要素であり、給紙部３０２と排紙部３０３は、印刷部１２２の構成要素である。
【００５５】
オペレーションパネル２０２には、図４のように、タッチパネル３１１と、テンキー３１２と、スタートボタン３１３と、リセットボタン３１４と、割り込みボタン３１５と、ログインボタン３１６と、ログアウトボタン３１７と、初期設定ボタン３１８、機能キー３１９と、パトランプ３２０が存在する。
【００５６】
タッチパネル３１１は、タッチ操作で入力を行うためのハードウェア（タッチ操作部）であると共に、画面表示で出力を得るためのハードウェア（画面表示部）である。テンキー３１２は、キー操作で数字入力を行うためのハードウェアである。スタートボタン３１３は、ボタン操作でスタート操作を行うためのハードウェアである。リセットボタン３１４は、ボタン操作でリセット操作を行うためのハードウェアである。割り込みボタン３１５は、ボタン操作で割り込み操作を行うためのハードウェアである。ログインボタン３１６は、ボタン操作でログイン操作を行うためのハードウェアである。ログアウトボタン３１７は、ボタン操作でログアウト操作を行うためのハードウェアである。初期設定ボタン３１８は、ボタン操作で初期設定画面を表示させるためのハードウェアである。機能キー３１９は、キー操作でコピー操作画面やプリンタ操作画面やスキャナ操作画面やファクシミリ操作画面を表示させるためのハードウェアである。パトランプ３２０は、ランプ表示で警告出力を得るためのハードウェアである。
【００５７】
融合機１０１は、原稿セット部３０１に原稿がセットされている場合、スタートボタン３１３が押されることで、撮像部１２１によりその原稿から画像を読み取る。融合機１０１は、コピーとして機能する場合、印刷部１２２によりその画像を印刷用紙等に印刷することになり、ファクシミリとして機能する場合、ＦＣＵ２０３やＮＩＣ２４１によりその画像を電話回線やネットワーク等を介して他の機器に送信することになる。印刷用紙等の給紙先は給紙部３０２であり、印刷用紙等の排紙先は排紙部３０３である。
【００５８】
原稿セット部３０１は、ＡＤＦ（自動原稿搬送装置）３２１と、フラットベッド３２２と、フラットベッドカバー３２３により構成される。給紙部３０２は、４個の給紙トレイと１個の手差しトレイにより構成される。排紙部３０３は、１個の排紙トレイにより構成される。
【００５９】
ＡＤＦ３２１には、複数枚の原稿を重ねてセットすることができる。融合機１０１は、ＡＤＦ３２１に原稿がセットされている場合、スタートボタン３１３が押されることで、撮像部１２１によりその原稿から画像を読み取る。詳細に言うと、ＡＤＦ３２１に複数枚の原稿が重ねてセットされている場合、スタートボタン３１３が押されることで、ＡＤＦ３２１が、図３の矢印のような経路で複数枚の原稿を１枚ずつ搬送し、撮像部１２１が、図３の矢印のような経路で１枚ずつ搬送される原稿から画像を読み取る。
【００６０】
フラットベッド３２２には、原稿を下向きにセットする。融合機１０１は、フラットベッド３２２に原稿がセットされている場合、スタートボタン３１３が押されることで、撮像部１２１によりその原稿から画像を読み取る。詳細に言うと、フラットベッド３２２に原稿が下向きにセットされている場合、スタートボタン３１３が押されることで、撮像部１２１が、透明なフラットベッド３２２を介して対面する原稿から画像を読み取る。
【００６１】
（プリントジョブのスプール機能）
図１の融合機１０１のプリントジョブのスプール機能について説明する。
【００６２】
図１の融合機１０１は、当該融合機１０１のクライアント端末からのプリントジョブをスプールすることができる。図１の融合機１０１は、図５のように、３台のＰＣ４０１とＬＡＮ４１１で接続されている。各ＰＣ４０１には、融合機１０１のプリンタドライバがインストールされており、各ＰＣ４０１は、融合機１０１のクライアント端末として機能することができる。
【００６３】
ＰＣ４０１Ａ，ＰＣ４０１Ｂ，ＰＣ４０１Ｃは夫々、ユーザＡ，ユーザＢ，ユーザＣにより使用されるものとする。ＰＣ４０１Ａ，ＰＣ４０１Ｂ，ＰＣ４０１Ｃからのプリントジョブには夫々、ユーザＡ，ユーザＢ，ユーザＣのユーザＩＤ「１１１１１１１１，２２２２２２２２，３３３３３３３３」が添付されるものとする。
【００６４】
（１）第１実施例
図６は、図１の融合機１０１の第１実施例に係る画面遷移図である。
【００６５】
図６Ａの画面は、当該融合機１０１にスプールされているプリントジョブの中から当該融合機１０１に実行させるプリントジョブを選択するための「プリントジョブ選択画面」であり、当該融合機１０１のタッチパネル３１１に表示される。図６Ａの画面には、図６Ａの画面で選択されたプリントジョブを当該融合機１０１に実行させるための「プリントボタン」が表示されている。図６Ａの画面には、当該融合機１０１にスプールされているプリントジョブの一覧が表示されている。ユーザＩＤ「１１１１１１１１，２２２２２２２２，３３３３３３３３」のプリントジョブが存在することが解る。図６Ａの画面でプリントジョブを選択してプリントボタンにタッチすると、図６Ｂの画面に画面が移る。図６Ｂの画面は、図６Ａの画面で選択されたプリントジョブを当該融合機１０１に実行させるために必要な認証情報を入力するための「認証画面」であり、当該融合機１０１のタッチパネル３１１に表示される。図６Ａのプリントジョブ選択画面を提供する機能はプリンタアプリ１４２が、図６Ｂの認証画面を提供する機能はＳＣＳ１６９が担う。
【００６６】
第１実施例では、図６Ａのプリントジョブ選択画面で選択されたあるユーザのプリントジョブを当該融合機１０１に実行させるためには、図６Ｂの認証画面でそのユーザの認証情報を入力することが必要とされている。図６Ａのプリントジョブ選択画面で選択されたユーザＩＤ「１１１１１１１１」のプリントジョブを当該融合機１０１に実行させるためには、図６Ｂの認証画面でユーザＡの認証情報を入力しなければならないのである。これにより第１実施例では、プリントジョブのセキュリティが確保されているのである。
【００６７】
第１実施例につき、図６Ｂの認証画面では、あるユーザの認証情報を入力する操作を、そのユーザの認証情報が記録されたＩＣカード２４６（図２）を当該融合機１０１のＩＣカードリーダ２４５（図２）にセットする操作をもってすることが可能である。ユーザＡの認証情報を入力する操作を、ユーザＡの認証情報が記録されたＩＣカード２４６を当該融合機１０１のＩＣカードリーダ２４５にセットする操作をもってすることができるのである。これにより第１実施例では、認証情報の入力操作が簡単化されているのである。
【００６８】
図７は、図１の融合機１０１の第１実施例に係るシーケンス図である。
【００６９】
ＰＣ４０１Ａにて、融合機１０１で文書を印刷する旨の操作を行うと、ＰＣ４０１Ａを使用するユーザＡのユーザＩＤ「１１１１１１１１」を添付したプリントジョブが融合機１０１に送信（Ｓ１０１）されて融合機１０１にスプール（Ｓ１０２）される。Ｓ１０１とＳ１０２の処理には、ＰＣ４０１Ａではプリンタドライバが関与し、融合機１０１ではプリンタアプリ１４２が関与する。
【００７０】
融合機１０１にて、図６Ａの画面を表示する旨の操作を行うと、ＯＣＳ１６６からＳＣＳ１６９に、図６Ａの画面を表示する旨の操作が行われた旨が通知（Ｓ１１１）される。これに応じて、ＳＣＳ１６９からプリンタアプリ１４２に、図６Ａの画面を表示する旨の操作が行われた旨が通知（Ｓ１１２）される。これに応じて、プリンタアプリ１４２からＯＣＳ１６６に、図６Ａの画面の表示要求が送信（Ｓ１１３）される。これを受けて、図６Ａの画面が表示されることになる。
【００７１】
続いて、図６Ａの画面でユーザＩＤ「１１１１１１１１」のプリントジョブを選択すると、ＯＣＳ１６６からＳＣＳ１６９に、図６Ａの画面でユーザＩＤ「１１１１１１１１」のプリントジョブが選択された旨が通知（Ｓ１２１）される。これに応じて、ＳＣＳ１６９からプリンタアプリ１４２に、図６Ａの画面でユーザＩＤ「１１１１１１１１」のプリントジョブが選択された旨が通知（Ｓ１２２）される。これに応じて、プリンタアプリ１４２からＯＣＳ１６６に、図６Ａの画面で選択されたユーザＩＤ「１１１１１１１１」のプリントジョブの反転表示要求が送信（Ｓ１２３）される。これを受けて、図６Ａの画面で選択されたユーザＩＤ「１１１１１１１１」のプリントジョブが反転表示されることになる。
【００７２】
更に続いて、図６Ａの画面でプリントボタンを押下すると、ＯＣＳ１６６からＳＣＳ１６９に、図６Ａの画面でプリントボタンが押下された旨が通知（Ｓ１３１）される。これに応じて、ＳＣＳ１６９からプリンタアプリ１４２に、図６Ａの画面でプリントボタンが押下された旨が通知（Ｓ１３２）される。これに応じて、プリンタアプリ１４２からＣＣＳ１６７に、図６Ｂの画面の表示要求が送信（Ｓ１３３）される。これに応じて、ＣＣＳ１６７からＳＣＳ１６９に、図６Ｂの画面の表示要求が送信（Ｓ１３４）される。これに応じて、ＳＣＳ１６９からＯＣＳ１６６に、図６Ｂの画面の表示要求が送信（Ｓ１３５）される。これを受けて、図６Ｂの画面が表示されることになる。
【００７３】
更に続いて、図６Ｂの画面でユーザＡの認証情報が記録されたＩＣカード２４６をＩＣカードリーダ２４５に通すと、ＩＣカードリーダ２４５からＳＣＳ１６９に、ＩＣカード２４６が通された旨が通知（Ｓ１４１）される。これに応じて、ＳＣＳ１６９からＣＣＳ１６７に、ＩＣカード２４６が通された旨が通知（Ｓ１４２）される。これに続き、ＣＣＳ１６７からＵＣＳ１６８に、ユーザＡの認証要求が送信（Ｓ１４３）される。これに応じて、ＣＣＳ１６７は、ユーザＡの認証処理を実行（Ｓ１４４）する。これに続き、ＵＣＳ１６８からＣＣＳ１６７に、ユーザＡの認証応答が送信（Ｓ１４５）される。これに応じて、ＣＣＳ１６７は、ユーザＡのチケット配布処理を実行（Ｓ１４６）する。これに応じて、プリンタアプリ１４２は、ユーザＡのチケットとユーザＩＤ「１１１１１１１１」とを照合（Ｓ１４７）する。これに続いて、プリンタアプリ１４２からＥＣＳ１６４に、図６Ａの画面で選択されたユーザＩＤ「１１１１１１１１」のプリントジョブの実行要求が送信（Ｓ１４８）される。これを受けて、図６Ａの画面で選択されたユーザＩＤ「１１１１１１１１」のプリントジョブが実行されることになる。
【００７４】
（２）第２実施例
図８は、図１の融合機１０１の第２実施例に係る画面遷移図である。
【００７５】
図８Ａの画面は、当該融合機１０１にスプールされているプリントジョブの中から当該融合機１０１に実行させるプリントジョブを選択するための「プリントジョブ選択画面」であり、当該融合機１０１のタッチパネル３１１に表示される。図８Ａの画面には、図８Ａの画面で選択されたプリントジョブを当該融合機１０１に実行させるための「プリントボタン」が表示されている。図８Ａの画面には、当該融合機１０１にスプールされているプリントジョブの一覧が表示されている。ユーザＩＤ「１１１１１１１１，２２２２２２２２，３３３３３３３３」のプリントジョブが存在することが解る。図８Ａ，図８Ｂ，図８Ｃの一連のプリントジョブ選択画面を提供する機能はプリンタアプリ１４２が担う。
【００７６】
第２実施例では、上記のプリントジョブ選択画面であるユーザの認証情報が入力されると、当該融合機１０１に実行させるプリントジョブとして、当該融合機１０１にスプールされているプリントジョブの中からそのユーザのすべてのプリントジョブが自動的に選択される。上記プリントジョブ選択画面でユーザＡの認証情報が入力されると、当該融合機１０１に実行させるプリントジョブとして、当該融合機１０１にスプールされているプリントジョブの中からユーザＩＤ「１１１１１１１１」のすべてのプリントジョブが自動的に選択されるのである。これにより第２実施例では、プリントジョブの選択操作が簡単化されているのである。
【００７７】
第２実施例につき、上記のプリントジョブ選択画面では、あるユーザの認証情報を入力する操作を、そのユーザの認証情報が記録されたＩＣカード２４６（図２）をＩＣカードリーダ２４５（図２）にセットする操作をもってすることが可能である。ユーザＡの認証情報を入力する操作を、ユーザＡの認証情報が記録されたＩＣカード２４６をＩＣカードリーダ２４５にセットする操作をもってすることができるのである。これにより第２実施例では、認証情報の入力操作が簡単化されて、プリントジョブの選択操作が簡単化されているのである。
【００７８】
図８で詳説する。図８Ａのプリントジョブ選択画面でユーザＡの認証情報が入力されると、当該融合機１０１に実行させるプリントジョブとして、当該融合機１０１にスプールされているプリントジョブの中からユーザＩＤ「１１１１１１１１」の全プリントジョブが自動的に選択され、図８Ｂのプリントジョブ選択画面に画面が移る。図８Ａのプリントジョブ選択画面では、ユーザＡの認証情報を入力する操作を、ユーザＡの認証情報が記録されたＩＣカード２４６をＩＣカードリーダ２４５にセットする操作をもってすることができる。
【００７９】
第２実施例では更に、上記のプリントジョブ選択画面である複数のユーザの認証情報が順次入力されると、当該融合機１０１に実行させるプリントジョブとして、当該融合機１０１にスプールされているプリントジョブの中からその複数のユーザのすべてのプリントジョブが順次自動的に選択される。上記プリントジョブ選択画面でユーザＡの認証情報とユーザＢの認証情報が順次入力されると、当該融合機１０１に実行させるプリントジョブとして、当該融合機１０１にスプールされているプリントジョブの中からユーザＩＤ「１１１１１１１１」のすべてのプリントジョブとユーザＩＤ「２２２２２２２２」のすべてのプリントジョブが順次自動的に選択されるのである。これにより第２実施例では、複数のユーザ分のプリントジョブの選択操作が簡単化されているのである。
【００８０】
第２実施例につき更に、上記のプリントジョブ選択画面では、ある複数のユーザの認証情報を順次入力する操作を、その複数のユーザの認証情報が各ユーザの認証情報につき各ＩＣカード２４６に記録された複数のＩＣカード２４６（図２）をＩＣカードリーダ２４５（図２）に順次セットする操作をもってすることが可能である。ユーザＡの認証情報とユーザＢの認証情報を順次入力する操作を、ユーザＡの認証情報が記録されたＩＣカード２４６とユーザＢの認証情報が記録されたＩＣカード２４６とをＩＣカードリーダ２４５に順次セットする操作をもってすることができるのである。これにより第２実施例では、複数のユーザ分の認証情報の入力操作が簡単化されて、複数のユーザ分のプリントジョブの選択操作が簡単化されているのである。
【００８１】
図８で更に詳説する。図８Ｂのプリントジョブ選択画面でユーザＡの認証情報に続いてユーザＢの認証情報が追加入力されると、当該融合機１０１に実行させるプリントジョブとして、当該融合機１０１にスプールされているプリントジョブの中からユーザＩＤ「１１１１１１１１」の全プリントジョブに続いてユーザＩＤ「２２２２２２２２」の全プリントジョブが自動的に追加選択され、図８Ｃのプリントジョブ選択画面に画面が移る。図８Ｂのプリントジョブ選択画面では、ユーザＡの認証情報に続いてユーザＢの認証情報を追加入力する操作を、ユーザＡの認証情報が記録されたＩＣカード２４６に続いてユーザＢの認証情報が記録されたＩＣカード２４６をＩＣカードリーダ２４５に追加セットする操作をもってすることができる。
【００８２】
図９は、図１の融合機１０１の第２実施例に係るシーケンス図である。
【００８３】
ＰＣ４０１Ａにて、融合機１０１で文書を印刷する旨の操作を行うと、ＰＣ４０１Ａを使用するユーザＡのユーザＩＤ「１１１１１１１１」を添付したプリントジョブが融合機１０１に送信（Ｓ２０１）されて融合機１０１にスプール（Ｓ２０２）される。Ｓ２０１とＳ２０２の処理には、ＰＣ４０１Ａではプリンタドライバが関与し、融合機１０１ではプリンタアプリ１４２が関与する。
【００８４】
ＰＣ４０１Ｂにて、融合機１０１で文書を印刷する旨の操作を行うと、ＰＣ４０１Ｂを使用するユーザＢのユーザＩＤ「２２２２２２２２」を添付したプリントジョブが融合機１０１に送信（Ｓ２１１）されて融合機１０１にスプール（Ｓ２１２）される。Ｓ２１１とＳ２１２の処理には、ＰＣ４０１Ｂではプリンタドライバが関与し、融合機１０１ではプリンタアプリ１４２が関与する。
【００８５】
融合機１０１にて、図８Ａの画面を表示する旨の操作を行うと、ＯＣＳ１６６からＳＣＳ１６９に、図８Ａの画面を表示する旨の操作が行われた旨が通知（Ｓ２２１）される。これに応じて、ＳＣＳ１６９からプリンタアプリ１４２に、図８Ａの画面を表示する旨の操作が行われた旨が通知（Ｓ２２２）される。これに応じて、プリンタアプリ１４２からＯＣＳ１６６に、図８Ａの画面の表示要求が送信（Ｓ２２３）される。これを受けて、図８Ａの画面が表示されることになる。
【００８６】
引き続いて、図８Ａの画面でユーザＡの認証情報が記録されたＩＣカード２４６をＩＣカードリーダ２４５に通すと、ＩＣカードリーダ２４５からＳＣＳ１６９に、ＩＣカード２４６が通された旨が通知（Ｓ２３１）される。これに応じて、ＳＣＳ１６９からＣＣＳ１６７に、ＩＣカード２４６が通された旨が通知（Ｓ２３２）される。これに続き、ＣＣＳ１６７からＵＣＳ１６８に、ユーザＡの認証要求が送信（Ｓ２３３）される。これに応じて、ＣＣＳ１６７は、ユーザＡの認証処理を実行（Ｓ２３４）する。これに続き、ＵＣＳ１６８からＣＣＳ１６７に、ユーザＡの認証応答が送信（Ｓ２３５）される。これに応じて、ＣＣＳ１６７は、ユーザＡのチケット配布処理を実行（Ｓ２３６）する。これに応じて、プリンタアプリ１４２は、ユーザＡのチケットと照合してユーザＩＤ「１１１１１１１１」の全プリントジョブを自動的に選択（Ｓ２３７）する。これに続いて、プリンタアプリ１４２からＯＣＳ１６６に、図８Ａの画面で自動的に選択されたユーザＩＤ「１１１１１１１１」の全プリントジョブの反転表示要求が送信（Ｓ２３８）される。これを受けて、図８Ａの画面で自動的に選択されたユーザＩＤ「１１１１１１１１」の全プリントジョブが反転表示されることになる。これが、図８Ｂである。
【００８７】
引き続いて、図８Ｂの画面でユーザＢの認証情報が記録されたＩＣカード２４６をＩＣカードリーダ２４５に通すと、ＩＣカードリーダ２４５からＳＣＳ１６９に、ＩＣカード２４６が通された旨が通知（Ｓ２４１）される。これに応じて、ＳＣＳ１６９からＣＣＳ１６７に、ＩＣカード２４６が通された旨が通知（Ｓ２４２）される。これに続き、ＣＣＳ１６７からＵＣＳ１６８に、ユーザＢの認証要求が送信（Ｓ２４３）される。これに応じて、ＣＣＳ１６７は、ユーザＢの認証処理を実行（Ｓ２４４）する。これに続き、ＵＣＳ１６８からＣＣＳ１６７に、ユーザＢの認証応答が送信（Ｓ２４５）される。これに応じて、ＣＣＳ１６７は、ユーザＢのチケット配布処理を実行（Ｓ２４６）する。これに応じて、プリンタアプリ１４２は、ユーザＢのチケットと照合してユーザＩＤ「２２２２２２２２」の全プリントジョブを自動的に選択（Ｓ２４７）する。これに続いて、プリンタアプリ１４２からＯＣＳ１６６に、図８Ｂの画面で自動的に選択されたユーザＩＤ「２２２２２２２２」の全プリントジョブの反転表示要求が送信（Ｓ２４８）される。これを受けて、図８Ｂの画面で自動的に選択されたユーザＩＤ「２２２２２２２２」の全プリントジョブが反転表示されることになる。これが、図８Ｃである。
【００８８】
続いて、図８Ｃの画面でプリントボタンを押下すると、ＯＣＳ１６６からＳＣＳ１６９に、図８Ｃの画面でプリントボタンが押下された旨が通知（Ｓ２５１）される。これに応じて、ＳＣＳ１６９からプリンタアプリ１４２に、図８Ｃの画面でプリントボタンが押下された旨が通知（Ｓ２５２）される。これに応じて、プリンタアプリ１４２からＥＣＳ１６４に、図８Ｃの画面に至るまでに自動的に選択されたユーザＩＤ「１１１１１１１１」の全プリントジョブとユーザＩＤ「２２２２２２２２」の全プリントジョブの実行要求が送信（Ｓ２５３）される。これを受けて、図８Ｃの画面に至るまでに自動的に選択されたユーザＩＤ「１１１１１１１１」の全プリントジョブとユーザＩＤ「２２２２２２２２」の全プリントジョブが実行されることになる。
【００８９】
（３）第３実施例
第３実施例は、第２実施例の変形実施例である。第３実施例について、第２実施例との相違点について説明することにする。
【００９０】
図１０は、図１の融合機１０１の第３実施例に係る画面遷移図である。
【００９１】
図１０Ａの画面は、図８Ａの画面に相当するプリントジョブ選択画面であり、プリントジョブ選択前のプリントジョブ選択画面である。第３実施例では、プリントジョブ選択前のプリントジョブ選択画面には、当該融合機１０１にスプールされているプリントジョブの一覧は表示されないのである。これにより第３実施例では、どのようなプリントジョブが当該融合機１０１にスプールされているかが秘蔵化されているのである。
【００９２】
図１０Ａの画面でユーザＡの認証情報が入力されると、図１０Ｂの画面に移る。図１０Ｂの画面は、図８Ｂの画面に相当するプリントジョブ選択画面であり、ユーザＩＤ「１１１１１１１１」の全プリントジョブ選択後のプリントジョブ選択画面である。第３実施例では、ユーザＩＤ「１１１１１１１１」の全プリントジョブ選択後のプリントジョブ選択画面には、当該融合機１０１にスプールされているプリントジョブの内、当該融合機１０１にスプールされているプリントジョブの中から当該融合機１０１に実行させるジョブとしてプリントジョブ選択画面で選択されたユーザＩＤ「１１１１１１１１」の全プリントジョブのみの一覧が表示されるのである。
【００９３】
図１０Ｂの画面でユーザＢの認証情報が入力されると、図１０Ｃの画面に移る。図１０Ｃの画面は、図８Ｃの画面に相当するプリントジョブ選択画面であり、ユーザＩＤ「２２２２２２２２」の全プリントジョブ選択後のプリントジョブ選択画面である。第３実施例では、ユーザＩＤ「１１１１１１１１，２２２２２２２２」の全プリントジョブ選択後のプリントジョブ選択画面には、当該融合機１０１にスプールされているプリントジョブの内、当該融合機１０１にスプールされているプリントジョブの中から当該融合機１０１に実行させるジョブとしてプリントジョブ選択画面で選択されたユーザＩＤ「１１１１１１１１，２２２２２２２２」の全プリントジョブのみの一覧が表示されるのである。
【００９４】
第３実施例ではこのように、上記のプリントジョブ選択画面には、当該融合機１０１にスプールされているプリントジョブの中から当該融合機１０１に実行させるジョブとして当該プリントジョブ選択画面で選択されたプリントジョブの一覧が表示される。
【００９５】
図１１は、図１の融合機１０１の第３実施例に係るシーケンス図である。
【００９６】
図１１のシーケンス図の説明については、図９のシーケンス図の説明につき、Ｓ２０１からＳ２５３までの各処理をそれぞれＳ３０１からＳ３５３までの各処理に置き換えると共に、図８Ａ，図８Ｂ，図８Ｃの各画面図をそれぞれ図１０Ａ，図１０Ｂ，図１０Ｃの各画面図に置き換えることで理解される。
【００９７】
なお、各ユーザの認証情報はここでは、各ユーザの識別情報とパスワードをもって構成されている。各ユーザの識別情報は例えば、各ユーザのユーザ名でもよいし、各ユーザのユーザＩＤでもよい。第１実施例，第２実施例，第３実施例とも同様である。
【００９８】
（変形例）
図１の融合機１０１は、本発明「情報処理装置」の実施例に該当して、図１の融合機１０１によって実行される情報処理は、本発明「情報処理方法」の実施例に該当する。当該情報処理をコンピュータに実行させるコンピュータプログラムは、本発明「情報処理プログラム」の実施例に該当し、当該情報処理をコンピュータに実行させるコンピュータプログラムが記録されたＣＤ−ＲＯＭは、本発明「記録媒体」の実施例に該当する。
【図面の簡単な説明】
【００９９】
【図１】本発明の実施例に該当する融合機を表す。
【図２】図１の融合機に係るハードウェア構成図である。
【図３】図１の融合機に係る外観図である。
【図４】オペレーションパネルを表す。
【図５】図１の融合機に係るネットワーク構成図である。
【図６】第１実施例に係る画面遷移図である。
【図７】第１実施例に係るシーケンス図である。
【図８】第２実施例に係る画面遷移図である。
【図９】第２実施例に係るシーケンス図である。
【図１０】第３実施例に係る画面遷移図である。
【図１１】第３実施例に係るシーケンス図である。
【図１２】本発明の実施例に該当する情報処理装置を表す。
【符号の説明】
【０１００】
１１  情報処理装置
２１  ハードウェア
２２  ソフトウェア
２３  起動部
３１  アプリケーション
３２  プラットフォーム
１０１  融合機
１１１  ハードウェア
１１２  ソフトウェア
１１３  融合機起動部
１２１  撮像部
１２２  印刷部
１２３  その他のハードウェア
１３１  アプリケーション
１３２  プラットフォーム
１３３  アプリケーションプログラムインタフェース
１３４  エンジンインタフェース
１４１  コピーアプリ
１４２  プリンタアプリ
１４３  スキャナアプリ
１４４  ファクシミリアプリ
１４５  ネットワークファイルアプリ
１５１  コントロールサービス
１５２  システムリソースマネージャ
１５３  ハンドラ
１６１  ネットワークコントロールサービス
１６２  ファクシミリコントロールサービス
１６３  デリバリコントロールサービス
１６４  エンジンコントロールサービス
１６５  メモリコントロールサービス
１６６  オペレーションパネルコントロールサービス
１６７  サーティフィケーションコントロールサービス
１６８  ユーザディレクトリコントロールサービス
１６９  システムコントロールサービス
１７１  ファクシミリコントロールユニットハンドラ
１７２  イメージメモリハンドラ
２０１  コントローラ
２０２  オペレーションパネル
２０３  ファクシミリコントロールユニット
２１１  ＣＰＵ
２１２  ＡＳＩＣ
２２１  ＮＢ
２２２  ＳＢ
２３１  ＭＥＭ−Ｐ
２３２  ＭＥＭ−Ｃ
２３３  ＨＤＤ
２３４  メモリカードスロット
２３５  メモリカード
２４１  ＮＩＣ
２４２  ＵＳＢデバイス
２４３  ＩＥＥＥ１３９４デバイス
２４４  セントロニクスデバイス
２４５  ＩＣカードリーダ
２４６  ＩＣカード
３０１  原稿セット部
３０２  給紙部
３０３  排紙部
３１１  タッチパネル
３１２  テンキー
３１３  スタートボタン
３１４  リセットボタン
３１５  割り込みボタン
３１６  ログインボタン
３１７  ログアウトボタン
３１８  初期設定ボタン
３１９  機能キー
３２０  パトランプ
３２１  ＡＤＦ
３２２  フラットベッド
３２３  フラットベッドカバー
４０１  ＰＣ
４１１  ＬＡＮ
【図１】
2005346458.tif 000003
【図２】
2005346458.tif 000004
【図３】
2005346458.tif 000005
【図４】
2005346458.tif 000006
【図５】
2005346458.tif 000007
【図６】
2005346458.tif 000008
【図７】
2005346458.tif 000009
【図８】
2005346458.tif 000010
【図９】
2005346458.tif 000011
【図１０】
2005346458.tif 000012
【図１１】
2005346458.tif 000013
【図１２】
2005346458.tif 000014